(57)【要約】【課題】使い勝手の良い支持装置及び光学装置を提供する。【解決手段】本発明の支持装置２は、光学装置１，４を相対移動可能に支持する支持部２０と、前記光学装置１，４と前記支持部２０との間の相対移動を規制力により規制する規制部２５と、前記光学装置１に対して行われる動作に応じて、前記規制部２５の前記規制力を制御する制御部２３と、を備える。【選択図】図１
2010230786.tif 000002
【特許請求の範囲】
【請求項１】
光学装置を相対移動可能に支持する支持部と、
前記光学装置と前記支持部との間の相対移動を規制力により規制する規制部と、
前記光学装置に対して行われる動作に応じて、前記規制部の前記規制力を制御する制御部と、
を備えることを特徴とする支持装置。
【請求項２】
請求項１に記載の支持装置であって、
前記制御部は、
前記光学装置に対して第１の動作が行われた場合に、前記規制部に第１の規制力を発生させる第１制御と、
前記第１の動作後に、前記光学装置に対して前記第１動作とは異なる第２の動作が行われた場合に、前記規制部に前記第１の規制力より大きい第２の規制力を発生させる第２制御と、
を行なうことを特徴とする支持装置。
【請求項３】
請求項２に記載の支持装置であって、
前記光学装置は、被写体像を観察するファインダと、撮影者が保持可能なグリップ部と、前記ファインダへの物体の近接又は前記グリップ部への物体の接触を検知する検知部と、レリーズ動作をさせるためのレリーズ釦と、を備えるカメラであって、
前記第１の動作は、前記検知部により検知された前記近接又は前記接触の動作であり、
前記第２の動作は、前記レリーズ釦の半押し動作であること、
を特徴とする支持装置。
【請求項４】
請求項１〜３のいずれか１項に記載の支持装置であって、
前記規制部による規制を解除する解除部が設けられていること、
を特徴とする支持装置。
【請求項５】
請求項２〜４のいずれか１項に記載の支持装置であって、
前記光学装置に対して前記第１の動作及び前記第２の動作が行われたことを示す信号を受信する受信部を有すること、
を特徴とする支持装置。
【請求項６】
相対移動可能に支持装置に支持可能な光学装置であって、
前記支持装置に対する相対移動を規制する規制部と、
前記光学装置に対して行われる動作に応じて前記規制部の規制力を制御する制御部と、
を有する光学装置。
【請求項７】
請求項６に記載の光学装置であって、
前記制御部は、
前記光学装置に対して第１の動作が行われた場合に、前記規制部に第１の規制力を発生させる第１制御と、
前記第１の動作後に、前記光学装置に対して前記第１動作とは異なる第２の動作が行われた場合に、前記規制部に前記第１の規制力より大きい第２の規制力を発生させる第２制御と、
を行なうことを特徴とする光学装置。
【請求項８】
請求項６又は７に記載の光学装置であって、
被写体像を観察するファインダと、撮影者が保持可能なグリップ部と、前記ファインダへの物体の近接又は前記グリップ部への物体の接触を検知する検知部と、レリーズ動作をさせるためのレリーズ釦と、を備え、
前記第１の動作は、前記検知部により検知された前記近接又は前記接触の動作であり、
前記第２の動作は、前記レリーズ釦の半押し動作であること、
を特徴とする光学装置。
【発明の詳細な説明】
【技術分野】
【０００１】
本発明は、支持装置、及び光学装置に関するものである。
【背景技術】
【０００２】
従来、超望遠の交換式のレンズ鏡筒等の光学装置において、三脚を取り付けるための三脚座としての支持装置が付属されているものがある。カメラに装着されたレンズ鏡筒を、このような支持装置を介して三脚に固定しても、例えばカメラのグリップを保持しているとカメラがグリップ側に回転して傾き、構図ずれが生じることがある。そのため、９０度ごとに半固定状態にできるクリックストップ機構とその解除機構が設けられている三脚座がある（例えば、特許文献１参照）。
【先行技術文献】
【特許文献】
【０００３】
【特許文献１】特開２０００−２２７５３７号公報
【発明の概要】
【発明が解決しようとする課題】
【０００４】
しかし、クリックストップ機構では、半固定される位置の微調整ができず、半固定により操作性が悪くなる場合もある。
本発明の課題は、より使い勝手の良い支持装置、及び光学装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、光学装置（１，４）を相対移動可能に支持する支持部（２０）と、前記光学装置（１，４）と前記支持部（２０）との間の相対移動を規制力により規制する規制部（２５）と、前記光学装置（１，４）に対して行われる動作に応じて、前記規制部（２５）の前記規制力を制御する制御部（２３）と、を備えることを特徴とする支持装置（２）である。
請求項２に記載の発明は、請求項１に記載の支持装置（２）であって、前記制御部（２３）は、前記光学装置（１，４）に対して第１の動作が行われた場合に、前記規制部（２５）に第１の規制力を発生させる第１制御と、前記第１の動作後に、前記光学装置（１，４）に対して前記第１動作とは異なる第２の動作が行われた場合に、前記規制部（２５）に前記第１の規制力より大きい第２の規制力を発生させる第２制御と、を行なうことを特徴とする支持装置（２）である。
請求項３に記載の発明は、請求項２に記載の支持装置（２）であって、前記光学装置は、被写体像を観察するファインダ（９）と、撮影者が保持可能なグリップ部（５）と、前記ファインダ（９）への物体の近接又は前記グリップ部（５）への物体の接触を検知する検知部（１３）と、レリーズ動作をさせるためのレリーズ釦（６）と、を備えるカメラ（１）であって、前記第１の動作は、前記検知部（１３）により検知された前記近接又は前記接触の動作であり、前記第２の動作は、前記レリーズ釦（６）の半押し動作であること、を特徴とする支持装置（２）である。
請求項４に記載の発明は、請求項１〜３のいずれか１項に記載の支持装置（２）であって、前記規制部（２５）による規制を解除する解除部（８）が設けられていること、を特徴とする支持装置（２）である。
請求項５に記載の発明は、請求項２〜４のいずれか１項に記載の支持装置（２）であって、前記光学装置（１，４）に対して前記第１の動作及び前記第２の動作が行われたことを示す信号を受信する受信部（２２）を有すること、を特徴とする支持装置（２）である。
請求項６に記載の発明は、相対移動可能に支持装置（２）に支持可能な光学装置（１，４）であって、前記支持装置（２）に対する相対移動を規制する規制部（２５）と、前記光学装置（１，４）に対して行われる動作に応じて前記規制部（２５）の規制力を制御する制御部（２３）と、を有する光学装置（１，４）である。
請求項７に記載の発明は、請求項６に記載の光学装置（１，４）であって、
前記制御部（２３）は、前記光学装置（１，４）に対して第１の動作が行われた場合に、前記規制部（２５）に第１の規制力を発生させる第１制御と、
前記第１の動作後に、前記光学装置（１，４）に対して前記第１動作とは異なる第２の動作が行われた場合に、前記規制部（２５）に前記第１の規制力より大きい第２の規制力を発生させる第２制御と、を行なうことを特徴とする光学装置（１，４）である。
請求項８に記載の発明は、請求項６又は７に記載の光学装置（１，４）であって、被写体像を観察するファインダ（９）と、撮影者が保持可能なグリップ部（５）と、前記ファインダ（９）への物体の近接又は前記グリップ部（５）への物体の接触を検知する検知部（１３）と、レリーズ動作をさせるためのレリーズ釦（６）と、を備え、前記第１の動作は、前記検知部（１３）により検知された前記近接又は前記接触の動作であり、前記第２の動作は、前記レリーズ釦（６）の半押し動作であること、を特徴とする光学装置（１，４）である。
なお、符号を付して説明した構成は、適宜改良してもよく、また、少なくとも一部を他の構成物に代替してもよい。
【発明の効果】
【０００７】
本発明によれば、使い勝手の良い支持装置、及びそれを備える光学装置を提供することができる。
【図面の簡単な説明】
【０００８】
【図１】本発明の第１実施形態の支持装置を備えたカメラを示す側面図である。
【図２】第１実施形態の制御系のブロック図である。
【図３】第１実施形態の動作の一例を示すフローチャートである。
【図４】本発明の第２実施形態の支持装置を備えたカメラを示す側面図である。
【図５】本発明の第３実施形態の支持装置を備えたカメラを示す側面図である。
【発明を実施するための形態】
【０００９】
以下、図面等を参照して、本発明の実施形態について説明する。なお、以下に示す各図には、説明と理解を容易にするために、適宜ＸＹＺ直交座標系を設けた。この座標系では、撮影者が光軸Ｃを水平として画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１０】
（第１実施形態）
図１は本発明の第１実施形態の構成を示す側面図であり、カメラ１と、カメラ１に装着されたレンズ鏡筒４と、三脚座２とを備えている。
【００１１】
カメラ１は、被写体像を観察するためのファインダ９と、レリーズ動作させるためのレリーズ釦６と、撮影時に撮影者が保持するグリップ部５（図１においてはカメラ本体３のＸマイナス側となるので符号を点線で示す）とを有している。カメラ１には、三脚座２に対して無線信号を送信する送信アンテナ部（送信部）７及び後述する規制装置２５の規制力を解除する解除釦８が配置される。解除釦８は、操作性を考慮してグリップ部５の背面に配置されており、撮影者の親指等による押圧操作が可能となっている。また、解除釦８は、例えば三脚座２に設けられていてもよい。
【００１２】
図２は、カメラ１及び三脚座２の内部構造のブロック図である。図２に示すように、カメラ１は、撮像部１１と、アイセンサ１３と、制御部１５とを備えている。撮像部１１は、被写体光が入射されることにより被写体像を撮像する。撮像部１１は、ＣＣＤ等の光電変換素子が用いられる。
【００１３】
アイセンサ１３は、ファインダ９近傍に配置されており、撮影者がファインダ９に眼を接近させたとき、撮影者の顔の近接を検知する。アイセンサ１３は、検知信号を制御部１５に出力する。アイセンサ１３としては、ファインダ９近傍に配置された図示しない発光部及び受光部とによって形成されている。このアイセンサ１３においては、発光部が撮影者に向けて赤外光を照射し、受光部が撮影者の顔によって反射された反射光を受光することにより撮影者の顔の接近を検知する。
【００１４】
制御部１５は、カメラ１の動作を統括的に制御するものであり、ＣＰＵ等の演算装置を備えている。制御部１５には、送信部７、レリーズ釦６、解除釦８、アイセンサ１３が接続されており、これらの信号が制御部１５に入力され、入力された信号に基づいて制御部１５による制御が行われる。
【００１５】
図１に示すように、三脚座２は、レンズ鏡筒４に装着されており、レンズ鏡筒４を介してカメラ１も保持するようになっている。三脚座２は、レンズ鏡筒４が嵌合状態で貫通することによりレンズ鏡筒４に取り付けられた筒状の支持部２０と、支持部２０に一体に連結された取付部２１とを有している。
【００１６】
支持部２０は貫通しているレンズ鏡筒４を相対的に回転可能に支持するものであり、レンズ鏡筒４を支持部２０に対して回転（移動）させることにより、撮影画像の構図を変更することができる。支持部２０には、受信アンテナ部（受信部）２２が設けられ、カメラ１の送信部７から送信された無線信号の受信が可能となっている。取付部２１は、三脚１７の受座１８に着脱自在に装着される。そして取付部２１が三脚１７に装着されることにより、カメラ１の全体が三脚１７に支持される。
【００１７】
三脚座２とレンズ鏡筒４との間には、三脚座２とレンズ鏡筒４との相対回転を規制する規制装置２５が設けられる。規制装置２５は、三脚座２に取り付けられたモータ等の駆動部２６と、駆動部２６に連結された押圧部２７とを有している。押圧部２７は、駆動部２６に取り付けられたピストン等の伸縮部２８の先端部分に取り付けられている。押圧部２７は、レンズ鏡筒４に形成された段部等の係合部２９に対面しており、駆動部２６の駆動による伸縮部２８の伸長によってレンズ鏡筒４方向に進出してレンズ鏡筒４の係合部２９に当接する。この当接によって、レンズ鏡筒４に規制力が作用し、三脚座２に対するレンズ鏡筒４の相対回転が規制される。一方、駆動部２６が逆駆動することにより、押圧部２７は、係合部２９から退出してレンズ鏡筒４への規制が解除される。なお、駆動部２６としては、押圧部２７を係合部２９に対して進出及び退出させるものであればよく、シリンダ等のモータ以外の他の部材を用いることができる。
【００１８】
図２のブロック図に示すように、三脚座２は、制御部２３及び上述した受信部２２、駆動部２６，押圧部２７を有している。駆動部２６は、制御部２３に接続されており、その駆動が制御部２３によって制御される。受信部２２は、カメラ１からの無線信号を受信すると、その信号を制御部２３に出力する。これにより、制御部２３は、駆動部２６の駆動を制御する。
【００１９】
本実施形態において、三脚座２の制御部２３は、駆動部２６に対して第１制御及び第２制御の２段階の制御を行う。これらの制御は、カメラ１の送信部７からの無線信号に基づいて行われる。第１制御は、ファインダ９への眼の接近動作からなる第１動作のときに行われる。これらの第１動作は、アイセンサ１３によって検知されるものである。第２制御は、レリーズ釦６への半押し動作からなる第２動作のときに行われる。第２動作は、レリーズ釦６の半押し信号が制御１５に入力されることにより検知される。
【００２０】
第１動作は、撮影準備の際の動作に相当するものであり、第１動作がなされると、その検知信号が送信部７から送信され、三脚座２の受信部２２から制御部２３に伝達される。この第１動作に関する信号が入力されると、制御部２３は、押圧部２７がレンズ鏡筒４の係合部２９に対して小さな規制力である第１の規制力で当接するように駆動部２６を制御する。この第１の規制力では、三脚座２に対するレンズ鏡筒４の回転（移動）が抵抗感ある状態下で可能となるように拘束される。従って、ある程度の抵抗感に抗して操作を行うことによりレンズ鏡筒４を回転させて構図の位置調整を行うことができる。
【００２１】
第２動作は、撮影直前の動作に相当するものであり、第２動作がなされると、その検知信号が送信部７から送信され、三脚座２の受信部２２から制御部２３に伝達される。この第２動作に関する信号が入力されると、制御部２３は、押圧部２７がレンズ鏡筒４の係合部２９に対して第１の規制力よりも大きな規制力で当接するように駆動部２６を制御する。この第２の規制力では、三脚座２に対するレンズ鏡筒４の回転（移動）が規制される。第２の規制力は、第１規制力よりも大きな力となっており、レリーズ釦６を全押しする際に構図がずれる可能性がさらに低減される。
【００２２】
図３は、本実施形態の動作のフローチャートである。
カメラ１側において、撮影者がファインダ９を覗くことにより、アイセンサ１３が撮影者の眼の接近を検知すると（Ｓ１１）、その検知信号がカメラ１側の制御部１５に出力され、送信部７から三脚座３側に無線信号が送信される（Ｓ１２）。
【００２３】
三脚座２側において、この無線信号は、受信部２２により受信される（Ｓ５１）。この受信により、三脚座２側の制御部２３は、押圧部２７が第１の規制力でレンズ鏡筒４の係合部２９に当接するように駆動部２６を制御する（Ｓ５２）。これにより、レンズ鏡筒４の移動が、ある程度拘束された半固定状態となり、レンズ鏡筒４が不用意に回転することがなくなる。この第１の規制力においては、レンズ鏡筒４は抵抗感のある回転が可能である。従って、構図の位置調整が可能である。
【００２４】
カメラ１側において、撮影者がファインダ９から眼を離した場合、アイセンサ１３が眼の離脱を検知し（Ｓ１３）、その無線信号が三脚座３側に送信される（Ｓ１４）。
【００２５】
三脚座２側では、この無線信号を受信すると（Ｓ５３）、第１の規制力による押圧状態から押圧部２７が退避するように駆動部２６が制御される（Ｓ５４）。これにより、第１の規制力が解除されて、Ｓ５１に戻る。従って、アイセンサ１３から眼を離すと、初期状態に戻るため、レンズ鏡筒４を自由に回転させることができる。
【００２６】
一方、カメラ１側においてアイセンサ１３が眼の近接を検知している状態においても、解除釦８が押圧された場合（Ｓ１５）、その無線信号が三脚座３側に送信される（Ｓ１６）。
【００２７】
三脚座２側では、この無線信号を受信すると（Ｓ５５）、第１の規制力が解除される（Ｓ５６）。このように解除釦８への押圧操作を行うことにより、レンズ鏡筒４を自由に回転させることができ、初期状態への復帰が可能である。第１の規制力の解除の後及び解除釦８への押圧操作がない場合には、Ｓ５７に移行し、カメラ１側からの無線信号の受信の待機状態となる（Ｓ５７）。
【００２８】
カメラ１側のＳ１５において、解除釦８が押圧されない場合には、Ｓ１７に移行する。Ｓ１７においてカメラ１側のレリーズ釦６の半押しが検知されると、その検知信号が三脚座３側に送信される（Ｓ１８）。
【００２９】
三脚座２側は、この無線信号を受信すると（Ｓ５７）、三脚座２側の制御部２３は駆動部２６を制御する。これにより、押圧部２７が第２の規制力で係合部２９を押圧する（Ｓ５８）。この状態では、レンズ鏡筒４の回転がより強く固定されるため、レンズ鏡筒４のずれがなくなる。
【００３０】
カメラ１側において、レリーズ釦６の半押し（Ｓ１７）の後でレリーズ釦６の半押しが解除された場合（Ｓ１９、Ｙｅｓ）、その解除信号が三脚座３側に送信される（Ｓ２０）。
【００３１】
三脚座２側では、この解除信号が受信されると（Ｓ５９）、押圧部２７が第１の規制力で係合部２９に当接するように制御される（Ｓ６０）。従って、レンズ鏡筒４の移動が再び、ある程度拘束されるが、抵抗感のある回転が可能な状態となる。
【００３２】
カメラ１側では、Ｓ１９に続くＳ２１で、アイセンサ１３からの眼の離脱を検知しており、眼の離脱が検知されると、その無線信号が三脚座３側に送信される（Ｓ２２）。
【００３３】
三脚座２側では、この信号を受信すると（Ｓ６１）、押圧部２７による第２の規制力及び第１の規制力が解除される（Ｓ５４）。従って、レリーズ釦６の半押し後において、観察者がファインダ９から眼を離すと、初期状態に戻るため、レンズ鏡筒４を自由に回転させることができる。Ｓ６１において、信号を受信しない場合は、Ｓ６２に移行する。
【００３４】
カメラ１側では、Ｓ２１に続いてカメラ１側で解除釦８が押圧された場合（Ｓ２３）、その無線信号が送信される（Ｓ２４）。
三脚座２側では、この無線信号を受信すると（Ｓ６２）、押圧部２７が第１の規制力で係合部２９に当接するように制御される（Ｓ６３）。すなわち、レリーズ釦６への半押し操作（Ｓ１５）があった後においては、半押しの解除（Ｓ１７）及びファインダ９からの撮影者の離脱（Ｓ１９）がない限り、押圧部２７による第２の規制力が作用しているが、この状態においても、解除釦８に対する押圧操作を行うことにより、第２の規制力から第１の規制力に規制状態が軽減される（Ｓ６３）。このＳ６３においては、押圧部２７による第１の規制力が作用しており、レンズ鏡筒４の不用意な回転が防止される。
【００３５】
カメラ１側では、Ｓ２３に続いて、再度カメラ１側で解除釦８が押圧された場合（Ｓ２５）、その無線信号が送信される（Ｓ２６）。
三脚座２側では、この無線信号を受信すると（Ｓ６４）、押圧部２７が係合部２９から退出して押圧を解除するように、すなわち第１の規制力が解除されるように駆動部２６が制御される（Ｓ６５）。
【００３６】
カメラ１側では、Ｓ２５に続いてカメラ１側で撮影を行うためのレリーズ釦６の全押しがなされると（Ｓ２７）、撮影が終了し（Ｓ２８）、撮影終了の無線信号が送信される（Ｓ２９）。この際、Ｓ２１においてアイセンサ１３が目の離脱を検知しておらず、また解除釦８も押圧されていない場合、レンズ鏡筒４は第２の規制力によって固定状態となるように拘束されている。このため、レンズ鏡筒４がずれることがなく、レリーズ釦６の全押しにより構図がずれることがない。
【００３７】
三脚座３側でＳ６２及びＳ６４で解除釦８への押圧が受信されない場合には、Ｓ６６に移行し、撮影終了の無線信号の待機状態となる。そして、Ｓ６６で撮影終了の無線信号の受信があると、押圧部２７が係合部２９から退出して押圧を解除するように、すなわち第２の規制力が解除されるように駆動部２６が制御される（Ｓ６７）。
【００３８】
以上、本実施形態によると、以下の効果を有する。
（１）アイセンサ１３によって検知された撮影者の接近に基づいて第１規制力がレンズ鏡筒４と三脚座２との間に作用するため、レンズ鏡筒４及び三脚座２の相対回転が規制され、レンズ鏡筒４すなわちカメラ１が不用意に回転することがなく、構図がずれることを防止できる。
（２）第１規制力においては、三脚座２に対するレンズ鏡筒４の相対回転が抵抗感のある状態で可能であるため、構図の変更を行うことができる。
（３）レリーズ釦６を半押しすることにより、第１規制力よりも大きな力の第２規制力が作用するため、カメラ１が確実に固定され、撮影時における画像のずれを防止できる。
（４）アイセンサ１３の検知が解除されると、第１規制力が解除されて初期状態に戻るため、レンズ鏡筒４を自由に回転させることができ、新たな構図の設定を行うことができる。
（５）解除釦８への操作によって第１規制力及びだい２規制力を解除できるため、レンズ鏡筒４を自由に回転させることへの復帰をいつでも可能である。
【００３９】
（第２実施形態）
図４は、本発明の第２実施形態を示す側面図であり、第１実施形態と同一の部材には、同一の符号を付し、その説明は省略する。第２実施形態では、第１規制力及び第２規制力を作用させる規制装置２５がレンズ鏡筒４に配置される点が第１実施形態と異なる。
【００４０】
図４に示すように、規制装置２５は、モータ等の駆動部２６と、伸縮部２８を介して駆動部２６に連結された押圧部２７とによって構成されており、全体がレンズ鏡筒４の外面に配置されている。この場合、押圧部２７は、三脚座２の支持部２０に対面しており、駆動部２６の伸長駆動によって支持部２０の端面２０ａに当接する。端面２０ａへの当接によって、レンズ鏡筒４及び三脚座２の相対回転を規制する規制力を作用させることができる。
【００４１】
第２実施形態においても、アイセンサ１３、解除釦８がカメラ１に配置されるが、規制装置２５がレンズ鏡筒４に配置されている。カメラ１とレンズ鏡筒４とは、マウント部に設けられた図示しない接点によって接続され、この接点により電気信号が伝達される。このため、三脚座２に対して無線信号を送信する必要がなく、第２実施形態では、第１実施形態の送信部７及び受信部２２が不要となる。
【００４２】
第２実施形態においては、規制装置２５がレンズ鏡筒４に取り付けられるため、制御部１５は、アイセンサ１３の検知信号、レリーズ釦６の半押し信号及び解除釦８の操作信号に基づいて規制装置２５の駆動部２６を制御する。そして、この制御によって、押圧部２７を支持部２０の端面２０ａに当接させて三脚座２及びレンズ鏡筒４の相対回転を規制する。かかる規制は、第１の規制力及び第１の規制力よりも大きな第２の規制力によって行われるものであり、第１実施形態と同様である。
【００４３】
第２実施形態では、第１実施形態に比べて送信部７及び受信部２２が不要となるため、構成を簡素できるという利点がある。
【００４４】
（第３実施形態）
図５は、本発明の第３実施形態を示す側面図であり、第１実施形態と同一の部材には、同一の符号を付して対応させてある。第３実施形態では、規制装置２５の構造が異なっている。
【００４５】
図５に示すように、規制装置２５は、三脚座２の支持部２０に形成されたフック突起部３１と、レンズ鏡筒４に配置されたフック爪部３２と、フック爪部３２を伸縮される伸縮部３４と、モータ等の駆動部３３とによって形成されている。フック突起部３１は、支持部２０の円周方向に沿って適宜間隔で複数が形成されている。フック爪部３２は、駆動部３３の伸長駆動によって光軸Ｃ方向に進退し、この進退によってフック突起部３１への係合及びその解除を行う。駆動部３３の駆動は、制御部１５（図２参照）によって制御される。
【００４６】
第３実施形態においても、制御部１５は、アイセンサ１３の検知信号、レリーズ釦６の半押し信号及び解除釦８の操作信号に基づいて駆動部３３を制御する。これにより、駆動部３３は、フック爪部３２を進退させ、フック爪部３２を対応位置で停止しているフック突起部３１に係合させる。この係合によってレンズ鏡筒４の相対回転が規制される。第３実施形態では、送信部７及び受信部２２が不要となるという利点がある。
【００４７】
（変形形態）
以上、説明した実施形態に限定されることなく、以下に示すような種々の変形や変更が可能であり、それらも本発明の範囲内である。
（１）第１実施形態では、無線によってレンズ鏡筒４から三脚座２に信号を送信しているが、これに限らず、レンズ鏡筒４から三脚座２へ、三脚座２からレンズ鏡筒４へ接点を介して信号を伝達させてもよい。
（２）また、支持装置としての三脚座２を説明したが。これに限らず、一脚座でもよく、自由雲台であって撮影動作によって固定されるものであってもよい。
（３）上述の実施形態では、アイセンサ１３が眼の接近を検知した場合について説明したがこれに限定されない。例えばグリップ部５にグリップセンサを設け、グリップセンサにより撮影者の手の接触を検知してもよい。
（４）光学装置として一眼レフカメラへの適用を説明したが、これに限らず、コンパクトカメラやレンズ鏡筒に適用してもよい
なお、実施形態及び変形形態は、適宜組み合わせて用いることもできるが、詳細な説明は省略する。また、本発明は以上説明した実施形態によって限定されることはない。
【符号の説明】
【００４８】
１：カメラ、２：三脚座、３：カメラ本体、４：レンズ鏡筒、５：グリップ部、６：レリーズ釦、７：送信部、８：解除釦、９：ファインダ、１３：アイセンサ、１５：制御部、２２：受信部、２３：制御部、２５：規制装置、２６：駆動部、２７：押圧部、２９：係合部
【図１】
2010230786.tif 000003
【図２】
2010230786.tif 000004
【図３】
2010230786.tif 000005
【図４】
2010230786.tif 000006
【図５】
2010230786.tif 000007